(57)【要約】【課題】主コンテンツに対して、時間進行に連動して内容が変化する情報を付与することが可能なコンテンツ再生システムの提供。【解決手段】同期再生処理では、コンテンツ再生システム１の利用者が予め生成した複数の再生情報ファイル及び副コンテンツの中から、端末装置２０の利用者が一つの再生情報ファイルを選択させる（Ｓ１１０）。その選択された再生情報ファイルを取得して（Ｓ１３０）、該再生情報ファイルの内容を解析する（Ｓ１４０）。当該再生情報ファイルに従って決定される主コンテンツ及び副コンテンツを取得し（Ｓ１５０，Ｓ１６０）、その取得した主コンテンツ及び副コンテンツを、当該再生情報ファイル中のタイミング情報に従って時間同期させて再生する（Ｓ１７０）。【選択図】図２
2012015958.tif 000002
【特許請求の範囲】
【請求項１】
録画又は録音されたコンテンツである主コンテンツを記憶する主コンテンツ記憶手段と、
前記主コンテンツとは別個に作成され、再配布可能なコンテンツである副コンテンツを記憶する副コンテンツ記憶手段と、
いずれかの主コンテンツに対応付けられ、その主コンテンツとの同期再生に用いる副コンテンツを表す情報、及びその指定された副コンテンツの再生タイミングを表す情報を少なくとも含んだ再生情報ファイルを取得する情報ファイル取得手段と、
前記情報ファイル取得手段が取得した再生情報ファイルにて表された主コンテンツを対象コンテンツとして前記主コンテンツ記憶手段から取得し、該再生情報ファイルにより指定される副コンテンツを前記副コンテンツ記憶手段から取得する取得制御手段と、
前記取得制御手段にて取得された対象コンテンツを再生すると共に、前記情報ファイル取得手段にて取得された再生情報ファイルによって指定される再生タイミングにて、前記取得制御手段にて取得された副コンテンツを再生する同期再生手段と
を備えることを特徴とするコンテンツ再生システム。
【請求項２】
前記同期再生手段により再生された前記主コンテンツ及び前記副コンテンツからなる複合コンテンツを、新たな単一のコンテンツとして記憶する合成記憶手段を備えることを特徴とする請求項１に記載のコンテンツ再生システム。
【請求項３】
前記再生情報ファイルは、通信網に接続されたサーバに蓄積され、
前記情報ファイル取得手段は、
通信網を介してサーバから、前記再生情報ファイルを取得することを特徴とする請求項１または請求項２に記載のコンテンツ再生システム。
【請求項４】
前記副コンテンツ記憶手段は、
通信網に接続されたサーバに設けられることを特徴とする請求項１から請求項３のいずれか一項に記載のコンテンツ再生システム。
【請求項５】
前記主コンテンツ、及び前記副コンテンツは、少なくとも画像を含むものであり、
前記同期再生手段は、
前記副コンテンツの再生画像が、前記対象コンテンツの再生画像に重畳するように再生することを特徴とする請求項１〜請求項４のいずれか一項に記載のコンテンツ再生システム。
【請求項６】
前記主コンテンツ及び前記副コンテンツは、少なくとも画像を含むものであり、
前記同期再生手段は、
前記副コンテンツと、前記対象コンテンツとを、個別の画面にて再生することを特徴とする請求項１〜請求項４のいずれか一項に記載のコンテンツ再生システム。
【請求項７】
前記主コンテンツ、及び前記副コンテンツのうちの一方が音声コンテンツであることを特徴とする請求項１から請求項４のいずれか一項に記載のコンテンツ再生システム。
【発明の詳細な説明】
【技術分野】
【０００１】
本発明は、録画または録音されたコンテンツを再生するコンテンツ再生システムに関する。
【背景技術】
【０００２】
従来、放送局から放送されたコンテンツ（主コンテンツとする）を受信して主表示画面に表示する放送受信装置と共に用いられる情報表示装置が知られている（例えば、特許文献１参照）。
【０００３】
この情報表示装置では、利用者等が設定した情報（例えば、人気ＴＶ番組など、以下、設定情報とする）を通信網に接続されたサーバから検索し、その検索結果を、主表示画面とは別に用意された副表示画面に表示している。
【０００４】
したがって、特許文献１に記載の情報表示装置の利用者は、主コンテンツを視聴しつつ、設定情報に関する検索結果を認識することができる。
【先行技術文献】
【特許文献】
【０００５】
【特許文献１】特開２００９−７７２９９号公報
【発明の概要】
【発明が解決しようとする課題】
【０００６】
しかしながら、特許文献１に記載の情報表示装置において、検索結果は、例えば、利用者が視聴している主コンテンツとは別の人気ＴＶ番組（即ち、主コンテンツそのもの）の視聴を推薦することなどであって、利用者が視聴している主コンテンツに対して新たな楽しみを付加する情報（以下、付加情報とする）ではない。
【０００７】
このため、主コンテンツの時間進行に連動する情報（例えば、放送局にて主コンテンツに付加した言語の字幕とは異なる言語の字幕）を付加情報として、この付加情報と共に、該主コンテンツを視聴することを、特許文献１に記載の情報表示装置の利用者が望んでいても、特許文献１に記載の情報表示装置では、その要望に対応できないという問題があった。
【０００８】
つまり、特許文献１に記載の情報表示装置では、主コンテンツに対して付加情報を付加することができず、情報表示装置の利用者は、主コンテンツに対するより大きな楽しみを享受できないという問題があった。
【０００９】
そこで、本発明は、時間進行に連動する情報を、主コンテンツに対して付与することが可能なコンテンツ再生システムを提供することを目的とする。
【課題を解決するための手段】
【００１０】
上記目的を達成するためになされた本発明のコンテンツ再生システムでは、主コンテンツ記憶手段に、録画又は録音されたコンテンツ（以下、主コンテンツ）が記憶されており、副コンテンツ記憶手段に、主コンテンツとは別個に作成され、再配布可能なコンテンツ（以下、副コンテンツ）が記憶されている。
【００１１】
そして、情報ファイル取得手段が、いずれかの主コンテンツに対応付けられ、その主コンテンツとの同期再生に用いる副コンテンツを表す情報、及びその指定された副コンテンツの再生タイミングを表す情報を少なくとも含んだ再生情報ファイルを取得する。そして、取得制御手段が、情報ファイル取得手段により取得された再生情報ファイルにて表された主コンテンツを対象コンテンツとして主コンテンツ記憶手段から取得し、該再生情報ファイルにより指定される副コンテンツを副コンテンツ記憶手段から取得する。
【００１２】
すると、同期再生手段が、取得制御手段により取得された対象コンテンツを再生すると共に、情報ファイル取得手段にて取得された再生情報ファイルによって指定される再生タイミングにて、取得制御手段で取得された副コンテンツを再生する。
【００１３】
このような本発明のコンテンツ再生システムによれば、主コンテンツの再生に時間同期させて、副コンテンツを再生することができる。
その副コンテンツは、主コンテンツとは別個に作成されるため、デジタルテレビ放送の番組を主コンテンツとした場合であっても、その主コンテンツ自身を改変することがない。
【００１４】
そして、主コンテンツの時間進行に連動して内容が変更される情報（以下、付加情報とする）、例えば、主コンテンツに付加されている言語の字幕とは異なる言語の字幕や、主コンテンツにて話されている会話の内容とは異なる会話の内容の字幕、主コンテンツに元来含まれていない音楽等を、副コンテンツとして作成して用いることで、本発明のコンテンツ再生システムの利用者は、当該主コンテンツの新たな楽しみ方を享受することができる。
【００１５】
また、本発明のコンテンツ再生システムでは、合成記憶手段が、同期再生手段により再生された主コンテンツ及び副コンテンツからなる複合コンテンツを、新たな単一のコンテンツとして記憶しても良い（請求項２）。
【００１６】
このようなコンテンツ再生システムの利用者は、新たに生成された複合コンテンツを繰り返し視聴することができる。
さらに、本発明のコンテンツ再生システムでは、再生情報ファイルが、通信網に接続されたサーバに蓄積されていても良い。この場合、情報ファイル取得手段は、通信網を介してサーバから、再生情報ファイルを取得しても良い（請求項３）。
【００１７】
このようなコンテンツ再生システムでは、サーバに格納される情報再生ファイルは、当該コンテンツ再生システムの個々の利用者が、それぞれ独自に作成した情報再生ファイルとなる。よって、コンテンツ再生システムの利用者は、他の利用者が作成した情報再生ファイルに従って、主コンテンツ及び副コンテンツを視聴することができる。
【００１８】
また、本発明において、副コンテンツ記憶手段は、通信網に接続されたサーバに設けられていても良い（請求項４）。
この場合、サーバに格納される副コンテンツは、コンテンツ再生システムの個々の利用者が、それぞれ独自に作成した副コンテンツとなる。これにより、主コンテンツが一つであったとしても、主コンテンツと副コンテンツとの対応関係が複数通りとなり、当該主コンテンツに対してより多くの楽しみ方を提供できる。
【００１９】
ところで、本発明において、主コンテンツ及び副コンテンツは、少なくとも画像を含むものであることが望ましい。
このように、主コンテンツ及び副コンテンツが少なくとも画像を含むものである場合、同期再生手段は、副コンテンツの再生画像が、主コンテンツの再生画像に重畳するように再生しても良いし（請求項５）、対象コンテンツと副コンテンツとを、個別の画面にて再生しても良い（請求項６）。
【００２０】
主コンテンツと副コンテンツとの表示の態様を前者のようにすれば、コンテンツ再生システムの利用者にとって、視聴しやすいものとすることができる。一方、主コンテンツと副コンテンツとの表示の態様を後者のようにすれば、主コンテンツが作成時の状態に保たれるため、該主コンテンツが改変されたという印象を受けにくくすることができる。
【００２１】
なお、本発明において、主コンテンツ及び副コンテンツのうちの一方は、音声コンテンツであっても良い（請求項７）。
これにより、本発明のコンテンツ再生システムによれば、ラジオ放送などの音声コンテンツに、当該コンテンツ再生システムの利用者が画像などを副コンテンツとして付与して視聴するといった楽しみ方を提供することができる。
【図面の簡単な説明】
【００２２】
【図１】コンテンツ再生システムの概略構成を示すブロック図である。
【図２】端末装置の処理部が実行する同期再生処理の処理手順を示すフローチャートである。
【図３】同期再生処理により表示される対象コンテンツの表示画面と副コンテンツの表示画面との態様を例示した図面である。
【図４】同期再生処理により表示される対象コンテンツの表示画面と副コンテンツの表示画面との態様を例示した図面である。
【図５】実施形態の同期再生処理を実行することで得られる効果を説明する説明図である。
【発明を実施するための形態】
【００２３】
以下に本発明の実施形態を図面と共に説明する。
〈コンテンツ再生システムの構成について〉
図１は、コンテンツ再生システムの概略構成を示すブロック図である。
【００２４】
このコンテンツ再生システム１は、録画・録音したテレビ放送番組（以下、主コンテンツとする）を再生する際に、予め作成されたコンテンツ（以下、副コンテンツとする）を併せて再生するシステムである。
【００２５】
このコンテンツ再生システム１は、副コンテンツ、及び副コンテンツに関する各種情報（以下、再生情報ファイルとする）を記憶するサーバ１０と、テレビ放送番組を録画・録音して主コンテンツを生成すると共に、インターネット網等のネットワーク５を介してサーバ１０から取得した副コンテンツ及び再生情報ファイルに基づいて、主コンテンツ及び副コンテンツを再生する複数の端末装置２０とを備えている。
【００２６】
〈サーバの構成について〉
サーバ１０は、所定のプロトコルに従って、端末装置２０との間で通信を実行する通信部１３と、端末装置２０に提供する副コンテンツ及び再生情報ファイルを記憶するデータベース１２と、通信部１３やデータベース１２を利用した各種処理を実行する制御部１１とを備えている。
【００２７】
データベース１２は、ハードディスクドライブやフラッシュメモリ等の書き換え可能な不揮発性メモリにより構成されている。このデータベース１２には、コンテンツ再生システム１の利用者が端末装置２０を用いて作成した副コンテンツ及び再生情報ファイルが格納（追加・更新）される。
【００２８】
このうち、副コンテンツは、主コンテンツの時間進行に連動して再生されるように予め生成された映像データ、画像データ、音声データ、文字データのうち少なくとも一つを備えている。このうち、映像データは、時間進行に沿って複数の画像を並べた動画であり、画像データは、少なくとも一枚の画像であり、音声データは、音声を録音したデータであり、文字データは、文字を画像化したデータ（即ち、字幕）である。
【００２９】
以下、副コンテンツを構成する映像データ、画像データ、音声データ、文字データそれぞれを同期再生データと称す。この各種類の同期再生データは、それぞれ、１つのデータであっても良いし、少なくとも２つ以上のデータであっても良い。
【００３０】
一方、再生情報ファイルは、副コンテンツ毎に生成されるものであり、各副コンテンツが同期再生を指定する主コンテンツを表す対象コンテンツ情報と、その指定された主コンテンツに対する該副コンテンツの再生を開始するタイミングを表すタイミング情報とを少なくとも含んでいる。なお、再生情報ファイルは、対象コンテンツ情報、タイミング情報に加えて、当該再生情報ファイルに付属する付属情報を含んでいても良い。
【００３１】
そして、対象コンテンツ情報は、主コンテンツを識別する主コンテンツ識別情報と副コンテンツを識別する副コンテンツ識別情報とが対応付けられたものでも良いし、主コンテンツ識別情報と副コンテンツ自身が対応付けられたもの（即ち、再生情報ファイルに副コンテンツ自体が含まれていても）でも良い。
【００３２】
また、タイミング情報は、各種類の同期再生データそれぞれに対して規定されるものであり、主コンテンツに対する該同期再生データの再生を開始するタイミングを表す再生タイミングと、該同期再生データの再生を該再生タイミングから継続する時間長を表す再生継続時間とを有している。
【００３３】
ここで、サーバ１０の構成へと説明を戻す。
制御部１１は、ＣＰＵ，ＲＯＭ，ＲＡＭ等を備えた周知のマイクロコンピュータとして構成されており、ＲＯＭに格納されたプログラム、ＲＡＭにロードされたプログラムやパラメータに基づいて各種処理を実行する。
【００３４】
制御部１１が実行する処理には、通信部１３（ひいてはネットワーク５）を介して端末装置２０から取得する情報（例えば、副コンテンツや再生情報ファイルなど）をデータベース１２に格納する情報格納処理や、端末装置２０からの要求に従って、データベース１２に格納された情報（例えば、副コンテンツや再生情報ファイル）を端末装置２０に提供する情報提供処理が少なくとも含まれている。
【００３５】
〈端末装置の構成について〉
端末装置２０は、所定のプロトコルに従って、サーバ１０との間で通信を実行する通信部２２と、テレビ放送を受信する放送受信部２７と、端末装置２０に対する各種指令を入力するための操作部２４と、放送受信部２７が受信した映像の他、各種情報に基づく表示を行う表示部２５とを備えている。さらに、端末装置２０は、放送受信部２７が受信した音声の他、各種情報に基づく音声を出力する音声出力部２６と、少なくとも放送受信部２７が受信したテレビ放送番組や、通信部２２から取得した番組を主コンテンツとして記憶する記憶部２３と、これら各部２２〜２７を制御して各種処理を実行する処理部２１とを備えている。
【００３６】
なお、本実施形態において、端末装置２０は、具体的には、パーソナルコンピュータ（ＰＣ）、テレビ受像器、レコーダ、車載用ナビゲーション装置、携帯電話装置等として構成される。そして、各端末装置２０は、図１に記載された構成以外に、その端末装置２０が本来達成すべき機能を実現するための構成（以下、機能実現構成）を有しているが、それらの機能実現構成は、本発明の主要部ではないため、本実施形態では、図示及び説明を省略する。
【００３７】
放送受信部２７は、テレビ放送信号を受信するアンテナや、テレビ放送信号を供給するＣＡＴＶ網等に接続され、操作部２４での操作に従ってテレビ放送信号から所望のテレビ番組の信号を抽出する機能を有した周知のチューナからなる。
【００３８】
操作部２４は、例えばキーボード，マウス，リモコン等のユーザからの操作を受け付けるユーザインタフェースとして構成されている。
記憶部２３は、例えば、ハードディスクドライブやフラッシュメモリ等の書き換え可能な不揮発性メモリにより構成されている。その記憶部２３は、主コンテンツを記憶する主コンテンツ記憶領域と、処理部２１での処理結果を記憶する処理結果記憶領域とを少なくとも有している。
【００３９】
処理部２１は、ＣＰＵ，ＲＯＭ，ＲＡＭ等を備えた周知のマイクロコンピュータとして構成されており、ＲＯＭに格納されたプログラム、ＲＡＭにロードされたプログラムやパラメータに基づいて所定の処理を実行する。
【００４０】
この処理部２１が実行する処理には、放送受信部２７が受信したテレビ放送番組を主コンテンツとして記憶部２３に記憶する放送番組記憶処理や、操作部２４を介して入力された指令に従ってサーバ１０から取得した再生情報ファイルに基づき、サーバ１０からの副コンテンツを、記憶部２３に記憶されている主コンテンツに時間同期させて再生する同期再生処理が少なくとも含まれている。
【００４１】
〈同期再生処理の処理内容について〉
次に、端末装置２０の処理部２１が実行する同期再生処理について、図２のフローチャートに従って詳細に説明する。
【００４２】
この同期再生処理は、操作部２４を介して、本同期再生処理を起動するための起動指令が入力されると起動される。
そして、同期再生処理は、図２に示すように、起動されると、まず、ファイル選択画像を表示部２５に表示し、操作部２４を介した指令の入力を受け付ける（Ｓ１１０）。このファイル選択画像は、サーバ１０のデータベース１２に格納されている再生情報ファイルの中から、一つの再生情報ファイルを選択するためのグラフィカルユーザインターフェース（ＧＵＩ）である。具体的には、本実施形態のファイル選択画像において、再生情報ファイルは、該再生情報ファイル中の対象コンテンツ情報における主コンテンツ毎に分類した態様にて表示される。このファイル選択画像にて選択可能な再生情報ファイルは、データベース１２に格納されている全ての再生情報ファイルであっても良いし、端末装置２０の記憶部２３に記憶されている主コンテンツに対応する再生情報ファイルのみであっても良い。
【００４３】
続いて、ファイル選択画像を介して、再生情報ファイルを選択する選択指令が入力されたか否かを判定し、選択指令が入力されていなければ（Ｓ１２０：ＮＯ）、Ｓ１１０へと戻り、選択指令が入力されるまで待機する。そして、選択指令が入力されると（Ｓ１２０：ＹＥＳ）、その入力された選択指令にて選択された再生情報ファイルを、サーバ１０のデータベース１２から取得する（Ｓ１３０）。
【００４４】
続いて、Ｓ１３０にて取得した再生情報ファイルの内容を解析して、再生情報ファイル中の対象コンテンツ情報によって表されている副コンテンツ（以下、対象副コンテンツとする）、及びその対象副コンテンツの同期再生を指定する主コンテンツ（以下、対象コンテンツとする）を認識すると共に、当該再生情報ファイル中のタイミング情報を取得する（Ｓ１４０）。
【００４５】
そして、対象コンテンツを記憶部２３から取得し（Ｓ１５０）、さらに、対象副コンテンツを構成する各種類の同期再生データそれぞれを、サーバ１０のデータベース１２から取得する（Ｓ１６０）。続いて、対象コンテンツを再生すると共に、対象副コンテンツを構成する各種の同期再生データそれぞれを、再生情報ファイルに含まれるタイミング情報に従って再生する（Ｓ１７０）。これにより、対象コンテンツの再生に時間同期して、対象副コンテンツを構成する各種類の同期再生データそれぞれが再生され、表示部２５に映像（画像）を表示し、音声出力部２６から音声が出力される。
【００４６】
これと共に、Ｓ１７０では、再生された対象コンテンツと、その対象コンテンツに時間同期して再生された対象副コンテンツを、一時的に保存（録画（いわゆるキャプチャ）、録音）する。
【００４７】
この対象コンテンツ及び対象副コンテンツを同期再生する際の表示態様は、例えば、図３に示すように、表示部２５の表示画面が複数の画面に分割された上で、対象副コンテンツを構成する文字データ及び映像データ（または画像データ）それぞれの表示画面が、対象コンテンツ自身の表示画面とは、別の画面として設けられていても良い。また、対象コンテンツ及び対象副コンテンツを同期再生する際の表示態様は、例えば、図４に示すように、対象副コンテンツを構成する文字データと映像データ（または画像データ）とが、対象コンテンツ自身の表示画面に重畳して表示、即ち、対象コンテンツ自身の表示画面上に、文字データと映像データ（または画像データ）との再生画像が映し出されていても良い。
【００４８】
特に、文字データ（即ち、字幕）の表示は、同期再生される対象コンテンツの話者を起点とした吹き出しによって実現されていても良い。この吹き出しによる文字データの表示は、周知のデータ形式によって実現することができるが、新規なデータ形式によって実現しても良い。
【００４９】
さらに、このＳ１６０での対象副コンテンツの取得、及びＳ１７０での対象コンテンツに時間同期した対象副コンテンツの再生は、サーバ１０から対象副コンテンツを受信しつつ、その対象副コンテンツをリアルタイムで再生する周知の技術（いわゆるストリーミング）により実現しても良いし、対象副コンテンツを構成する各種類の同期再生データをサーバ１０からダウンロードして記憶部２３に格納した上で、その格納された各種類の同期再生データを再生することで実現しても良い。
【００５０】
ここで同期再生処理の説明へと戻り、続くＳ１８０では、Ｓ１７０にて同期再生した対象コンテンツ及び対象副コンテンツを録画録音したデータ（以下、録画録音データとする）を、新たな単一のコンテンツである複合コンテンツとして記憶する記憶指令が、操作部２４を介して入力されたか否かを判定する。
【００５１】
このＳ１８０での判定の結果、記憶指令が入力されていれば（Ｓ１８０：ＹＥＳ）、録画録音データを、複合コンテンツとして記憶部２３に記憶する（Ｓ１９０）。すなわち、複合コンテンツを保存した後、本同期再生処理を終了する。
【００５２】
一方、Ｓ１８０での判定の結果、記憶指令が入力されていなければ（Ｓ１８０：ＮＯ）、録画録音データを消去した後、本同期再生処理を終了する。
つまり、本実施形態の同期再生処理では、コンテンツ再生システム１の利用者が予め生成した複数の再生情報ファイル及び副コンテンツの中から、端末装置２０の利用者に一つの再生情報ファイルを選択させる。そして、その選択された再生情報ファイルに従って決定される主コンテンツ及び副コンテンツを、当該再生情報ファイル中のタイミング情報に従って時間同期させて再生する。
［実施形態の効果］
以上説明したように、本実施形態のコンテンツ再生システム１によれば、主コンテンツの再生に時間同期させて、副コンテンツを再生することができる。
【００５３】
その副コンテンツは、コンテンツ再生システム１の利用者によって、主コンテンツとは別個に作成されるため、副コンテンツの作成に起因して主コンテンツ自身を改変することがない。
【００５４】
そして、本実施形態のコンテンツ再生システム１によれば、主コンテンツの時間進行に連動して再生される情報（即ち、付加情報）として副コンテンツが作成されているため、当該主コンテンツの新たな楽しみ方を享受することができる。
【００５５】
さらに、本実施形態のコンテンツ再生システム１では、個々の利用者が独自に作成した情報再生ファイル及び副コンテンツがサーバ１０に格納されており、端末装置２０の利用者は、そのサーバ１０に格納された情報再生ファイル及び副コンテンツを取得できる。この結果、コンテンツ再生システム１の利用者は、他の利用者が作成した情報再生ファイルに従って、主コンテンツ及び副コンテンツを視聴して楽しむことができ、主コンテンツに対する楽しみ方の種類や数を増加させることができる。
【００５６】
しかも、本実施形態のコンテンツ再生システム１では、録画録音データを複合コンテンツとして保存可能であるため、コンテンツ再生システム１の利用者は、その保存した複合コンテンツを繰り返し視聴することができる。
【００５７】
例えば、副コンテンツとして、主コンテンツに付加されている言語の字幕とは異なる言語の字幕（即ち、文字データ）や、主コンテンツに元来含まれていない音楽（即ち、音声データ）等を、コンテンツ再生システム１の利用者が作成すれば、それらの副コンテンツと共に、主コンテンツを視聴することができる。
【００５８】
特に、コンテンツ再生システム１の利用者が、図５に示すように、主コンテンツにて話されている会話の内容とは異なる会話の内容の字幕（即ち、文字データ）などを副コンテンツとして作成すれば、主コンテンツのパロディを視聴することができる。
【００５９】
なお、対象コンテンツ及び対象副コンテンツを同期再生する際の表示態様として、上述した図３のように、対象副コンテンツを構成する文字データ及び映像データそれぞれの表示画面を、対象コンテンツ自身の表示画面とは別の画面として設ければ、主コンテンツ自身は作成時の状態が保たれるため、該主コンテンツが改変されたという印象を受けにくくすることができる。
【００６０】
一方、対象コンテンツ及び対象副コンテンツを同期再生する際の表示態様として、上述した図４のように、対象コンテンツ自身の表示画面上に、文字データと映像データとの再生画像を映し出せば、対象コンテンツ及び対象副コンテンツは、コンテンツ再生システム１の利用者にとって、視聴しやすいものとなる。
【００６１】
なお、本実施形態のコンテンツ再生システム１において、文字データ（即ち、字幕）の表示を吹き出しを用いた態様とすれば、現在のＡＲＩＢ規格による字幕の表示態様と異なり、再生された対象コンテンツ（即ち、動画）中の誰が発言者であるのか明確にすることができる。特に、吹き出しの表示を、図３，５に示すように、対象コンテンツの表示画面外とすれば、対象コンテンツの映像（画像）が視認しづらくなることを防止できる。
［その他の実施形態］
以上、本発明の実施形態について説明したが、本発明は上記実施形態に限定されるものではなく、本発明の要旨を逸脱しない範囲において、様々な態様にて実施することが可能である。
【００６２】
例えば、上記実施形態では、テレビ放送局から放送されたテレビ放送番組を主コンテンツとしていたが、本発明における主コンテンツは、これに限るものではなく、インターネットから配信された番組（映像コンテンツまたは音声コンテンツ）でも良いし、コンテンツ再生システム１の利用者自身がビデオカメラなどで撮影・集音した映像データ及び音声データからなるコンテンツであっても良いし、ラジオ放送局から放送されたラジオ放送番組を録音した音声コンテンツであっても良い。
【００６３】
ラジオ放送番組などの音声コンテンツを主コンテンツとした場合、副コンテンツとして、映像データや字幕データを作成すれば、音声コンテンツを視認可能な態様とすることができ、より多くの情報を基にラジオ放送番組を楽しむことができる。
【００６４】
そして、上記実施形態における主コンテンツは、端末装置２０の記憶部２３に格納されていたが、本発明における主コンテンツは、サーバ１０のデータベース１２に格納されていても良い。この場合、同期再生処理における主コンテンツ自身の再生は、対象副コンテンツの再生と同様、サーバ１０から対象コンテンツ自身を受信しつつ、その対象コンテンツをリアルタイムで再生する周知の技術（いわゆるストリーミング）により実現しても良いし、対象コンテンツをサーバ１０からダウンロードして記憶部２３に格納した上で、その格納された各種類の同期再生データを再生することで実現しても良い。
【００６５】
また、上記実施形態における副コンテンツ、及び再生情報ファイルは、サーバ１０のデータベース１２に格納されていたが、本発明における副コンテンツ及び再生情報ファイルは、端末装置２０の記憶部２３に格納されていても良い。
【００６６】
つまり、対象コンテンツと、対象副コンテンツを構成する各種類の同期再生データそれぞれとを、タイミング情報に従って時間同期させて再生可能であれば、主コンテンツ、副コンテンツ、及び再生情報ファイルの格納先は、どこであっても良いし、同期再生処理における主コンテンツ自身及び副コンテンツの再生は、どのような方法であっても良い。
【００６７】
また、上記実施形態の同期再生処理では、一つの主コンテンツに対して同期再生する副コンテンツ、即ち、対象副コンテンツの数は、一つであったが、本発明において、対象副コンテンツの数は、一つに限るものではなく、複数であっても良い。この場合、上記実施形態における複数の再生情報ファイルを読み込んで、その読み込んだ再生情報ファイルに対応する同期再生データの再生を実行しても良いし、一つの主コンテンツ情報と複数の副コンテンツ情報とを対応付けた対象コンテンツ情報を有した再生情報ファイルを生成した上で、該再生情報ファイルを読み込んで、その読み込んだ再生情報ファイルに対応する同期再生データの再生を実行しても良い。
【００６８】
ところで、上記実施形態の同期再生処理では、Ｓ１８０での確認の結果、録画録音データを複合コンテンツとして保存する場合、Ｓ１９０にて、録画録音データを複合コンテンツとして端末装置２０の記憶部２３に格納していたが、録画録音データを複合コンテンツとして保存することは省略されていても良い。すなわち、本発明においては、同期再生処理のＳ１８０，Ｓ１９０は省略されていても良い。
［実施形態と特許請求の範囲との対応関係］
最後に、上記実施形態の記載と、特許請求の範囲の記載との関係を説明する。
【００６９】
上記実施形態の各端末装置２０における記憶部２３が、本発明の主コンテンツ記憶手段に相当し、サーバ１０のデータベース１２が、本発明の副コンテンツ記憶手段に相当する。
【００７０】
そして、上記実施形態の同期再生処理におけるＳ１３０を実行することで得られる機能が、本発明の情報ファイル取得手段に相当し、Ｓ１４０〜Ｓ１６０を実行することで得られる機能が、本発明の取得制御手段に相当し、Ｓ１７０を実行することで得られる機能が、本発明の同期再生手段に相当する。
【００７１】
さらに、上記実施形態の同期再生処理におけるＳ１８０，Ｓ１９０を実行することで得られる機能が、本発明の合成記憶手段に相当する。
【符号の説明】
【００７２】
１…コンテンツ再生システム  ５…ネットワーク  １０…サーバ  １１…制御部  １２…データベース  １３…通信部  ２０…端末装置  ２１…処理部  ２２…通信部  ２３…記憶部  ２４…操作部  ２５…表示部  ２６…音声出力部  ２７…放送受信部
【図１】
2012015958.tif 000003
【図２】
2012015958.tif 000004
【図３】
2012015958.tif 000005
【図４】
2012015958.tif 000006
【図５】
2012015958.tif 000007